(57)【要約】【課題】雨水が下側から外部に漏れることを抑制できる飾り板を提供すること。【解決手段】飾り板１を、一方側軒樋６０の端部と、他方側軒樋７０において該端部の延在方向に対して傾斜する方向に延在する端部を接続する内曲継手８０の外側上端部に取り付ける。飾り板１が、内曲継手８０側から鉛直方向の上方側に延在する側壁を含む飾り板本体１０と、飾り板本体１０に取り付けられ、内曲継手８０の内側面における隅部上部を覆う止水部材４０を備えるようにする。【選択図】図１
2019190161.tif 000002
【特許請求の範囲】
【請求項１】
一方側軒樋の端部と、他方側軒樋において前記端部の延在方向に対して傾斜する方向に延在する端部とを接続する屈曲継手の外側上端部に取り付けられる飾り板であって、
屈曲継手側から鉛直方向の上方側に延在する側壁を含む飾り板本体と、
前記飾り板本体に取り付けられ、前記屈曲継手の内側面における隅部上部を覆う止水部材と、
を備える、飾り板。
【請求項２】
前記飾り板本体は、１枚の板金を折り曲げて形成されている、請求項１に記載の飾り板。
【請求項３】
前記止水部材は、前記屈曲継手が画定する溝内に配置されると共に略平板形状を有する溝挿入部を有し、
前記溝挿入部は、前記溝の深さ方向の底側に行くにしたがって水平方向の幅が狭くなる先細り形状を有する、請求項１又は２に記載の飾り板。
【発明の詳細な説明】
【技術分野】
【０００１】
本開示は、異なる軒樋を接続する継手上部に取り付けられる飾り板に関する。
【背景技術】
【０００２】
従来、飾り板としては、特許文献１に記載されているものがある。この飾り板は、建物の入隅に沿うように配置される内曲継手の外側上部に設置される。詳しくは、建物の入隅は、第１側壁部と、この第１側壁部に略直交する第２側壁部とで構成され、建物は、第１側壁部上側からその法線方向かつ鉛直方向下側に斜めに突出する部分を有する第１屋根と、第２側壁部上側からその法線方向かつ鉛直方向下側に斜めに突出する部分を有する第２屋根を含む。また、建物は、更に、第１屋根の軒先に沿うように配置される第１軒樋と、第２屋根の軒先に沿うように配置される第２軒樋を含む。第１軒樋と、第２軒樋は、略直交し、内曲継手は、互いに直交する第１軒樋と第２軒樋を接続する。内曲継手は、互いに直交する第１軒樋と第２軒樋を接続することに起因して略直交する角部を有する。
【０００３】
第１屋根と第２屋根は、互いに隣接し、第１屋根と第２屋根の連設位置には、入隅まで傾斜する谷部が設けられる。このため、雨水は、谷部に集められ、谷部に沿って入隅側に流下する。内曲継手の外側上部に設置される飾り板は、入隅側に流下する雨水が内曲継手を飛び越えて外側に飛散することを抑制するために設けられる。詳しくは、飾り板は、内曲継手の外側上部に設置され、内曲継手を飛び越えて外側に飛散しようとする雨水を内曲継手側に跳ね返す。その結果、跳ね返された雨水を内曲継手が画定する溝内に案内でき、雨水が内曲継手を飛び越えて外部に飛散することを抑制できる。
【先行技術文献】
【特許文献】
【０００４】
【特許文献１】特開２００７−３２１８６号公報
【発明の概要】
【発明が解決しようとする課題】
【０００５】
飾り板は、谷部に沿って流下する雨水を跳ね返すために設けられるので、内曲継手の角部の外側上部に設置される必要があり、角部に設置されることに起因して互いに直交する２つの側壁を含む。このような背景において、互いに直交する２つの側壁の接続部を形成する際、２つの側壁の接続部下側に切欠き状の隙間が形成されることがあり、雨水がその隙間を介して外部に漏れることがある。
【０００６】
そこで、本開示の目的は、雨水が下側から外部に漏れることを抑制できる飾り板を提供することにある。
【課題を解決するための手段】
【０００７】
上記課題を解決するため、本開示に係る飾り板は、一方側軒樋の端部と、他方側軒樋において該端部の延在方向に対して傾斜する方向に延在する端部とを接続する屈曲継手の外側上端部に取り付けられる飾り板であって、屈曲継手側から鉛直方向の上方側に延在する側壁を含む飾り板本体と、飾り板本体に取り付けられ、屈曲継手の内側面における隅部上部を覆う止水部材と、を備える。
【発明の効果】
【０００８】
本開示に係る飾り板によれば、止水部材で飾り板本体の角部下側を覆うことができる。よって、雨水が下側から外部に漏れることを抑制できる。
【図面の簡単な説明】
【０００９】
【図１】内曲継手に設置された本開示の一実施形態に係る飾り板の取付部周辺の斜視図である。
【図２】上記飾り板の斜視図である。
【図３】建物の屋根を上側から見たときの平面図である。
【図４】上記建物において一角部を構成する第１及び第２屋根の隣接部周辺の斜視図である。
【図５】建物の入隅の周辺構造の一部を表す斜視図であり、図３において、その一部を、矢印Ａで示す方向から見たときの斜視図である。
【図６】止水部材取付前の上記飾り板本体を、止水部材取付側の外方から見たときの斜視図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さの寸法比は、必ずしも一致しない。また、以下の説明で、鉛直方向に関連する方向に関する文言、例えば、鉛直方向、水平方向、上側、下側、上方、下方等が用いられた場合、その方向は、飾り板１が、所定位置に位置する内曲継手８０の所定位置に設置された状態での方向を示す。
【００１１】
図１は、内曲継手８０に取り付けられた本開示の一実施形態に係る飾り板１の取付部周辺の斜視図であり、図２は、飾り板１の斜視図である。内曲継手８０は、屈曲継手の一例である。また、図１において、参照番号７は、内曲継手８０の建物側の内側壁部における建物側の外面を示す。また、参照番号８は、内曲継手８０の建物側とは反対側の外側壁部における内面を示し、その内面は、内曲継手８０が画定する溝８５の一部を構成する。また、本実施例では、一方側軒樋６０と、他方側軒樋７０が、互いに略直交する方向に延在する場合について説明する。しかし、一方側軒樋と、他方側軒樋は、９０°でない角度で互いに交差する方向に延在してもよい。
【００１２】
図１に示すように、内曲継手８０は、直線状に延在する一方側軒樋６０の端部と、一方側軒樋６０に直交する方向に延在する他方側軒樋７０の端部を接続し、飾り板１は、内曲継手８０の角部上側に設置される。内曲継手は、多種多様存在し、内曲継手８０は、それらのうちのいずれの内曲継手であってもよい。例えば、内曲継手８０は、互いに異なる方向に延在する２つの樋を接続可能であればよく、例えば、内曲継手８０は、内継手と外継手の両方を備えてもよく、内継手及び外継手のいずれか一方のみを備えてもよい。ここで、内継手は、一方側軒樋の内面に設置される内側第１部分と他方側軒樋の内面に設置される内側第２部分とを有して、一方側軒樋の内面と他方側軒樋の内面との間（継ぎ部）を内側から覆うように沿設されるものである。また、外継手は、一方側軒樋の外面に設置される外側第１部分と他方側軒樋の外面に設置される外側第２部分とを有して、一方側軒樋の外面と他方側軒樋の外面との間（継ぎ部）を外側から覆うように沿設されるものである。
【００１３】
内曲継手８０は、次に説明する建物の特定箇所に配置される。図３は、建物９０の屋根９１を上側から見たときの平面図である。図３に示すように、建物９０は、平面視において互いに相まって屋根９１の角部を構成する第１屋根９２と第２屋根９３を含む。第１屋根９２と、第２屋根９３は、平面図において、角部の隅から略４５°に傾斜する傾斜部を境に互いに隣接する。
【００１４】
図４は、建物９０における第１及び第２屋根９２,９３の周辺部分の斜視図である。図４に示すように、第１屋根９２は、建物９０に入隅を形成する２つの壁部９５,９６のうちの一方の壁部９５から突出するまで下側に傾斜して延び、第２屋根９３は、他方の壁部９６から突出するまで下側に傾斜して延びる。第１屋根９２の隣接縁と、第２屋根９３の隣接縁は、連設され、第１屋根９２と、第２屋根９３の連設位置には、入隅まで傾斜する谷部９７が形成される。その結果、雨水の一部は、第１屋根９２の上面を矢印ａで示す鉛直方向下側に流れた後、谷部９７に到達し、その後、矢印ｃで示すように谷部９７の谷筋に沿うように入隅側に流下する。また、同様に、雨水の他の一部は、第２屋根９３の上面を矢印ｂで示す鉛直方向下側に流れた後、谷部９７に到達し、その後、矢印ｃで示すように谷部９７の谷筋に沿うように入隅側に流下する。谷部９７を谷筋に沿って流下する雨水は、第１屋根９２を流れる雨水の一部と第２屋根９３を流れる雨水の一部が合流して生成される雨水であるので、その水量は大きい。
【００１５】
図５は、建物９０の入隅の周辺構造の一部を表す斜視図であり、図３において、その一部を、矢印Ａで示す方向から見たときの斜視図である。なお、図５においては、内曲継手８０を模式的に図示している。図５に示すように、一方側軒樋６０は、第１屋根９２の軒先に沿うように配置され、他方側軒樋７０は、第２屋根９３の軒先に沿うように配置される。また、内曲継手８０は、一方側軒樋６０の入隅（角部）側の端部と、他方側軒樋７０の入隅側の端部とを接続するように入隅に配置される。図２に示す飾り板１は、図５に斜線で示す内曲継手８０の外側上端部８３に取り付けられる。図２に示すように、飾り板１は、高さ方向に延在する側壁１５と、側壁１５の建物側の面に取り付けられる止水部材４０を備える。図１に示すように、飾り板１は、止水部材４０の一部が、内曲継手８０が画定する溝８５内に配置されるように外側上端部８３（図５参照）に取り付けられる。なお、詳述しないが、図５に示すように、谷部９７には、谷樋９９が設けられてもよい。
【００１６】
次に、飾り板１の構造と、内曲継手８０に対する飾り板の取付構造について詳細に説明する。図２に示すように、飾り板１は、一体に構成される飾り板本体１０と、止水部材４０を備える。飾り板本体１０は、側壁１５を有し、側壁１５は、互いに直交する板状の第１壁部１７と板状の第２壁部１８を含む。第１及び第２壁部１７,１８の夫々は、溝側面（溝８５側の面）１７ａ,１８ａを有し、溝側面１７ａ,１８ａは、角部を除いて略直角三角形の形状を有する。第１壁部１７の高さ方向に延在する高さ方向延在縁１７ｂは、第２壁部１８の高さ方向に延在する高さ方向延在縁１８ｂに一致する。換言すると、第１壁部１７と第２壁部１８は、同じ縁（以下、共有縁という）２５を共有する。
【００１７】
飾り板本体１０は、更に、第１載置部２７、第２載置部２８、第１水返し部３７、第２水返し部３８、複数の第１取付部４７、及び複数の第２取付部４８を含む。第１載置部２７は、第１壁部１７の下側に位置し、第１壁部１７の下側縁部に沿うように延在する。第１載置部２７は、第１壁部１７の下側端部を起点として第１壁部１７に対して略垂直に折り曲げられた部分であり、水平方向に延在する。また、同様に、第２載置部２８は、第２壁部１８の下側に位置し、第２壁部１８の下側縁部に沿うように延在する。第２載置部２８は、第２壁部１８の下側端部を起点として第２壁部１８に対して略垂直に折り曲げられた部分であり、水平方向に延在する。
【００１８】
第１水返し部３７は、第１壁部１７の上側に位置し、第１壁部１７の上側縁部に沿うように延在する。第１水返し部３７は、第１壁部１７の上側端部を起点として第１壁部１７に対して下側に略１８０°折り返された部分である。第１水返し部３７は、第１壁部１７の上側縁部に沿って延在する第１溝５７を画定し、第１溝５７は、下側に開口する。第１壁部１７は、共有縁２５から離れるにしたがって高さが徐々に低くなる。その結果、第１水返し部３７も、共有縁２５から離れるにしたがって形成箇所の高さが徐々に低くなる。
【００１９】
第２水返し部３８は、第２壁部１８の上側に位置し、第２壁部１８の上側縁部に沿うように延在する。第２水返し部３８は、第２壁部１８の上側端部を起点として第２壁部１８に対して下側に略１８０°折り返された部分である。第２水返し部３８は、第２壁部１８の上側縁部に沿って延在する第２溝５８を画定し、第２溝５８は下側に開口する。第２壁部１８は、共有縁２５から離れるにしたがって高さが徐々に低くなる。その結果、第２水返し部３８も、共有縁２５から離れるにしたがって形成箇所の高さが徐々に低くなる。雨が激しく降ると、雨が谷部９７に沿って勢いよく流下する。そのような場合、雨水が、飾り板１の側壁１５に勢いよく衝突することで上側に跳ね上がることがある。第１及び第２水返し部３７,３８は、跳ね上がった雨水を下側に跳ね返して、跳ね返した雨水を溝８５内に案内するために設けられる。
【００２０】
複数の第１取付部４７は、第１載置部２７の延在方向に間隔をおいた状態で第１載置部２７の下側に設けられる。第１取付部４７は、第１載置部２７の下面と相俟って断面略Ｕ字状の第１凹部４５を画定し、第１凹部４５は、第１載置部２７の延在方向の両側が開口すると共に、第１壁部１７の法線方向の外側（建物側とは反対側）が開口する。
【００２１】
複数の第２取付部４８は、第２載置部２８の延在方向に間隔をおいた状態で第２載置部２８の下側に設けられる。第２取付部４８は、第２載置部２８の下面と相俟って断面略Ｕ字状の第２凹部を画定し、第２凹部は、第２載置部２８の延在方向の両側が開口すると共に、第２壁部１８の法線方向の外側が開口する。
【００２２】
次に、内曲継手８０に対する飾り板１の取付構造について説明する。図２を参照して、先ず、板状の第１載置部２７の下面３２に接着剤を塗布すると共に、板状の第２載置部２８の下面３４に接着剤を塗布する。また、図５を参照して、斜線で示す外側上端部８３の上面８８における屋根側縁部の周辺領域にも接着剤を塗布する。続いて、図２及び図５を参照して、第１凹部４５（図２参照）を、内曲継手８０（図５参照）の外側上端部において他方側軒樋７０の延在方向と同じ方向に延在している部分の内側に位置する内側突出部８４に嵌め込む。また、上記第２凹部を、内曲継手８０の外側上端部において一方側軒樋６０の延在方向と同じ方向に延在している部分の内側に位置する内側突出部８６に嵌め込む。これらの嵌め込みによって、第１及び第２取付部４７,４８が内側突出部８４,８６に固定されると共に、第１及び第２載置部２７,２８の下面が外側上端部８３の上面８８に接着剤で固定され、その結果、飾り板１が、内曲継手８０に取り付けられる。飾り板１が内曲継手８０に取り付けられた状態で、側壁１５（図２参照）は、鉛直方向に延在する。
【００２３】
再度、図２を参照して、止水部材４０は、第１壁取付部４１、第２壁取付部４２、水平方向延在部４３、及び切欠被覆部４６を含む。水平方向延在部４３は、板状部であり、水平方向に広がる。水平方向延在部４３は、第１載置部２７の上面に載置される部分と、第２載置部２８の上面に載置される部分を含む。水平方向延在部４３は、２つの平面部が略直交する形状の端面を有する直交縁部５９を有する。
【００２４】
第１壁取付部４１は、板状部であり、直交縁部５９の一方側平面部の上側から鉛直方向上側に延在する。また、第２壁取付部４２は、板状部であり、直交縁部５９の他方側平面部の上側から鉛直方向上側に延在する。止水部材４０は、例えば、水漏れ防止用のゲル状のシリコン（図示せず）と、リベット５５を用いて飾り板本体１０に取り付けられる。詳しくは、第１壁取付部４１と第１壁部１７の間、第２壁取付部４２と第２壁部１８の間、及び水平方向延在部４３の下面と第１及び第２載置部２７,２８の上面の間に、水漏れ防止用のゲル状のシリコンを充填する。そして、この状態で、第１壁取付部４１を第１壁部１７にリベット５５で固定すると共に、第２壁取付部４２を第２壁部１８にリベット５５で固定すると、止水部材４０が飾り板本体１０に固定される。
【００２５】
切欠被覆部４６は、板状部であり、水平方向延在部４３の内側縁部（建物側の縁部）から鉛直方向下方側に延在する。図１を参照して、本実施例では、止水部材４０が飾り板本体１０に固定された状態で、第１及び第２壁取付部４１,４２と、切欠被覆部４６は、鉛直方向に延在する。切欠被覆部４６は、屋根の角部側から見たとき、略二等辺三角形の形状を有する。切欠被覆部４６は、内曲継手８０が画定する溝８５内に配置されると共に略平板形状を有する溝挿入部７９を含む。溝挿入部７９は、切欠被覆部４６の下側の大部分で構成される。溝挿入部７９は、溝８５の深さ方向の底側に行くにしたがって水平方向の幅が狭くなる先細り形状を有する。
【００２６】
図６は、止水部材４０の取付前の飾り板本体１０を、止水部材取付側の外方から見たときの斜視図である。図６に示すように、飾り板本体１０は、一枚の板金を曲げ加工して形成される。上述のように、飾り板本体１０では、第１載置部２７が互いに直交する２つの第１及び第２壁部１７,１８のうちの一方の第１壁部１７の下側端部に第１壁部１７に直交するように接続され、第２載置部２８が他方の第２壁部１８の下側端部に第２壁部１８に直交するように接続される。よって、飾り板本体１０は、一枚の板金を曲げ加工して形成されるので、切欠き６１が、第１載置部２７と第２載置部２８の間に必ず生じる。図２及び図６を参照して、切欠被覆部４６は、切欠き６１を内側から覆う位置に配置され、切欠き６１は、飾り板１を止水部材４０側の正面から見たとき切欠被覆部４６によって視認不可能になる。図２に示すように、本実施例では、飾り板１は、共有縁２５と、切欠被覆部４６の先端を含む平面に対して略面対称になっている。しかし、飾り板は、それを略面対称にできる平面が存在しない構造であってもよい。
【００２７】
以上、飾り板１は、一方側軒樋６０の端部と、他方側軒樋７０において該端部の延在方向に対して傾斜する方向に延在する端部とを接続する内曲継手８０の外側上端部に取り付けられる。また、飾り板１は、内曲継手８０側から鉛直方向の上方側に延在する側壁１５を含む飾り板本体１０と、飾り板本体１０に取り付けられ、内曲継手８０の内側面における隅部上部を覆う止水部材４０を備える。
【００２８】
したがって、飾り板本体１０の角部下側に生じる切欠き６１の屋根側の開口を止水部材４０で覆うことができるので、谷部９７に沿って流下した雨水が、その開口を経由して外部に漏れることを略防止できる。よって、雨水を樋に効率的に収容でき、竪樋を介して排水管等に効率的に排水できる。
【００２９】
更には、飾り板本体１０の角部下側に形成された切欠き６１が止水部材４０で覆われるので、切欠き６１が視認しにくくなる。よって、飾り板１を美観に優れるものにできる。
【００３０】
また、飾り板本体１０は、１枚の板金を折り曲げて形成されてもよい。
【００３１】
上記構成によれば、飾り板本体１０が、１枚の板金を折り曲げて形成されるので、飾り板本体１０を簡単安価に形成できる。
【００３２】
更には、飾り板本体１０を、１枚の板金を折り曲げて形成する場合、上述のように、飾り板本体１０の屈曲部の下側に意図的に切欠き６１を設けなければ、内曲継手８０の外側上端部８３の上面８８に載置される第１及び第２載置部２７,２８を形成できなくなる。したがって、切欠き６１のサイズが大きくなり易い。しかしながら、本構成によれば、止水部材４０で切欠き６１を塞ぐことができる。よって、水漏れ抑制の効果が顕著なものとなる。
【００３３】
また、止水部材４０は、内曲継手８０が画定する溝８５内に配置されると共に略平板形状を有する溝挿入部７９を有してもよい。そして、溝挿入部７９は、溝８５の深さ方向の底側に行くにしたがって水平方向の幅が狭くなる先細り形状を有してもよい。
【００３４】
上記構成によれば、溝挿入部７９に関して、切欠き６１が存在する溝８５の深さ方向の上側領域の側面の面積を大きくできる。したがって、止水部材４０で切欠き６１を確実に塞ぐことができる。更には、溝挿入部７９に関して、切欠き６１が存在する溝８５の深さ方向の底側の領域の体積を、上側とは逆に小さくできる。よって、溝８５において雨水が流れる領域を大きくでき、溝８５内を移動する雨水の流れを円滑なものにできる。
【００３５】
なお、本開示は、上記実施形態およびその変形例に限定されるものではなく、本願の特許請求の範囲に記載された事項およびその均等な範囲において種々の改良や変更が可能である。
【００３６】
例えば、上記実施形態では、飾り板本体１０が、水返し部３７,３８と、取付部４７,４８を有する場合について説明したが、飾り板本体は、水返し部と、取付部のうちの少なくとも一方を有さなくてもよい。また、第１及び第２壁部１７,１８が、共有縁２５から離れるにしたがって高さが低くなる場合について説明したが、第１及び第２壁部は、共有縁から離れるにしたがって高さが低くならなくてもよい。また、飾り板本体１０が、一枚の板金を折り曲げ加工することで形成される場合について説明したが、飾り板本体は、一枚の板金を折り曲げ加工することで形成されなくてもよく、例えば、２つの金属部分を溶接等で接合することで形成されてもよい。
【００３７】
また、第１及び第２壁部１７,１８が、飾り板１が所定箇所に取り付けられた状態で鉛直方向に延在する場合について説明したが、第１及び第２壁部は、飾り板が所定箇所に取り付けられた状態で鉛直方向に傾斜する方向に延在してもよい。また、止水部材４０の溝挿入部７９が、飾り板１が所定箇所に取り付けられた状態で鉛直方向に延在する場合について説明したが、止水部材の溝挿入部は、飾り板が所定箇所に取り付けられた状態で鉛直方向に傾斜する方向に延在してもよい。
【００３８】
また、止水部材４０の溝挿入部７９が、略三角形の形状の内側面を有する場合について説明したが、止水部材の溝挿入部は、如何なる形状の内側面を有してもよく、例えば、台形の形状や矩形状の内側面を有してもよい。また、水漏れ防止のシリコンとリベット５５を用いて止水部材４０を飾り板本体１０に固定する場合について説明したが、水漏れ防止のシリコンを接合部の間に充填しなくてもよい。また、リベット締めでなくて、溶接や接着剤等で構成される他の固定手段で止水部材を飾り板本体に固定してもよい。
【符号の説明】
【００３９】
１  飾り板、  １０  飾り板本体、  １５  側壁、  ４０  止水部材、  ６０  一方側軒樋、  ７０  他方側軒樋、  ７９  溝挿入部、  ８０  内曲継手、  ８５  内曲継手が画定する溝。
【図１】
2019190161.tif 000003
【図２】
2019190161.tif 000004
【図３】
2019190161.tif 000005
【図４】
2019190161.tif 000006
【図５】
2019190161.tif 000007
【図６】
2019190161.tif 000008